(57)【要約】      （修正有）【課題】容器内の花卉の中央に照明器具が配置されて、花卉の裏側から光を照射することにより、花卉全体が幻想的な装飾的効果を有する花器を提供する。【解決手段】本花器１００は、容器１０と、前記容器１０の略中央に配置されてなる電球又はＬＥＤ電球用のソケット部材２０と、容器１０内に配置された花卉又は造花卉を固定するための花留め部材３０とを備えるものとした。そのため、ソケット部材に電球を取り付けた際には、その周囲に配置された花留め部材に花卉等を設置すれば、花卉の位置に応じて、視認される側と反対側（裏側）から光が照射されて花びらや草木を透過させて視認される光と、花卉に反射して視認される光とが混在して看者に視認される。【選択図】図２
0003172679.tif 000002
【実用新案登録請求の範囲】
【請求項１】
容器と、
前記容器の略中央に配置されてなる電球又はＬＥＤ電球用のソケット部材と、
前記容器内に配置された花卉又は造花卉を固定するための花留め部材と、
を備えたことを特徴とする花器。
【請求項２】
前記容器は、直方体又は円筒体であることを特徴とする請求項１に記載の花器。
【請求項３】
前記容器は、陶器又は磁器であることを特徴とする請求項１又は２に記載の花器。
【請求項４】
前記容器は、金属製であることを特徴とする請求項１又は２に記載の花器。
【請求項５】
前記容器の側面は、光を反射可能に形成されている反射面であることを特徴とする請求項１から４のいずれか１項に記載の花器。
【請求項６】
前記ソケット部材の少なくとも１部は、前記容器の開口面より上方に配置されてなることを特徴とする請求項１から５のいずれか１項に記載の花器。
【請求項７】
前記ソケット部材は、前記容器の開口面より下方に配置されてなることを特徴とする請求項１から５のいずれか１項に記載の花器。
【請求項８】
前記ソケット部材の下方には、前記花留め部材と接触する水を貯水可能な貯水部を備えていることを特徴とする請求項１から７のいずれか１項に記載の花器。
【請求項９】
前記ソケット部材の開口端部には、防水用のゴムリングが設けられていることを特徴とする請求項１から８のいずれか１項に記載の花器。
【請求項１０】
前記ソケット部材を収容するソケット部材収容部を備えていることを特徴とする請求項１から９のいずれか１項に記載の花器。
【請求項１１】
前記花留め部材は、発泡スチロール又はウレタンであることを特徴とする請求項１から１０のいずれか１項に記載の花器。
【請求項１２】
前記花留め部材の表面は、緑色であることを特徴とする請求項１から１１のいずれか１項に記載の花器。
【請求項１３】
請求項１から１２のいずれか１項に記載の花器において、
電球又はＬＥＤ電球がソケットに取り付けられてなることを特徴とする花器。
【請求項１４】
請求項１３記載の花器において、
前記ＬＥＤ電球は、主面に拡散ドットを備えた２枚の導光板を備え、
前記２枚の導光板が十字となるように組み合わされてなることを特徴とする花器。
【請求項１５】
前記導光板は、ＬＥＤ電球のＬＥＤが配置される側に対して反対側の端面の断面がＶ字に設けられていることを特徴とする請求項１４に記載の花器。
【請求項１６】
前記導光板は、ＬＥＤ電球のＬＥＤが配置される側に対して反対側の端面が複数に分岐していることを特徴とする請求項１４又は１５に記載の花器。
【請求項１７】
請求項１４から１６のいずれか１項に記載の花器において、
前記容器は、直方体からなり、
前記ＬＥＤ電球の前記２枚の導光板の十字は、前記容器の開口部の対角線と同じ配置がされていることを特徴とする花器。
【請求項１８】
請求項１から１７のいずれか１項に記載の花器において、
前記花留め部材に花卉を備えたことを特徴とする花器。
【請求項１９】
請求項１３から１８のいずれか１項に記載の花器において、
前記花留め部材に花卉を備え、
前記花卉は、前記導光板の下端より上方に配置されてなることを特徴とする花器。
【考案の詳細な説明】
【技術分野】
【０００１】
本考案は、花器に関する。
【背景技術】
【０００２】
従来、容器等に生けられた花卉又は造花卉（以下、「花卉等」という。）をライトアップする際は、花器等の外側から光を当てて、花卉等から反射された光によって装飾的な効果を発揮させるものであった。
【０００３】
しかしながら、花器の外側から光を照射して装飾的効果を発揮させる場合、別途照明装置を準備しなければならず、照明装置が大がかりになる可能性があった。また、照明装置を準備する費用及び労力も別途必要となるという課題があった。
【先行技術文献】
【特許文献】
【０００４】
【特許文献１】特開平１１−７８１１号公報
【考案の開示】
【考案が解決しようとする課題】
【０００５】
そこで、本考案は、こうした課題を鑑みてなされたものであり、別途照明装置を準備する必要がなく、花器内に照明器具を取り付け可能であって、かつ花卉の中央に照明器具が配置されることによって、花器に設置されている花卉等の位置に応じて、花卉等の裏側及び表側の両方から光を照射して花卉等からの反射による光及び花卉等を透過する光の両方を視認させ、花卉等全体が幻想的な装飾的効果を有する花器を提供することを主たる目的とする。
【課題を解決するための手段】
【０００６】
本考案は、上述の主目的を達成するために、以下の手段を採った。
【０００７】
本考案にかかる花器は、
容器と、
前記容器の略中央に配置されてなる電球又はＬＥＤ電球用のソケット部材と、
前記容器内に配置された花卉又は造花卉を固定するための花留め部材と、
備えたことを特徴とする。
【０００８】
花器の略中央に電球又はＬＥＤ電球用のソケット部材を配置してあるため、ソケット部材に電球を取り付けた際には、その周囲に配置された花留め部材に花卉等を設置すれば、花卉の位置に応じて、視認される側と反対側（裏側）から光が照射されて花びらや草木を透過させて視認される光と、花卉に反射して視認される光とが混在して看者に視認される。そのため、より幻想的な花器を提供することができる。
【０００９】
また、本考案にかかる花器において、前記容器は、直方体又は円筒体であってもよい。かかる容器を採用することによって、左右対称で見た目に統一感のある、優れた美観を有する花器とすることができる。
【００１０】
さらに、本考案にかかる花器において、前記容器は、陶器又は磁器であってもよい。かかる容器を採用することによって、重厚感のある印象を有する花器を提供することができる。また、陶器又は磁器の容器とすることで、外部からの熱を効果的に遮断でき、内側の花卉や花留め部材等の構成部品が損傷する可能性を低減することができる。
【００１１】
さらに、本考案にかかる花器において、前記容器は、金属製であってもよい。金属製の容器とすることで、もし、誤って花器を落下させた場合であっても、破損するおそれを防止することができる。また、独特の金属質感のある花器を提供することができる。
【００１２】
さらに、本考案にかかる花器において、前記容器の側面は、光を反射可能に形成されている反射面であってもよい。かかる構成を採用することによって、光沢を有する容器とすることができ、花卉や電球又はＬＥＤ電球の光が映り込むことによって、より幻想的な花器を提供することができる。
【００１３】
さらに、本考案にかかる花器において、前記ソケット部材の少なくとも１部は、前記容器の開口面より上方に配置されていてもよい。かかる構成を採用することによって、ソケット部材に取り付けられる電球又はＬＥＤ電球が花卉に対して、比較的上方に配置されるので、より電球又はＬＥＤ電球の美観を強調させた花器を提供することができる。また、花卉に対して、光を反射させる割合の高い花器を提供することができる。
【００１４】
さらに、本考案にかかる花器において、前記ソケット部材は、前記容器の開口面より下方に配置されていてもよい。かかる構成を採用することによって、ソケット部材に取り付けられる電球又はＬＥＤ電球を花卉内に配置することができ、花卉の内側から光が照射され、花卉の花びらや葉を透過して光を認識する割合が多いので、反射されて視認される通常の花器と比較して、より幻想的な花びらや葉を視認することができる花器を提供することができる。
【００１５】
さらに、本考案にかかる花器において、前記ソケット部材の下方には、前記花留め部材と接触する水を貯水可能な貯水部を備えていてもよい。かかる構成を採用することによって、あらかじめ貯水部に水を貯水しておくことで、花留め部材に随時水を提供することができ、生花を使用した場合に、生花の寿命をより長くすることができる。
【００１６】
さらに、本考案にかかる花器において、前記ソケット部材の開口端部には、防水用のゴムリングが設けられていてもよい。かかる構成を採用することによって、花器の上方から水をかけた場合であっても、ソケット部材内に水が浸入することを防止することができる。従って、貯水部の水が不足した場合であっても、じょうろ等を使用して容易に生花に水やりを行うことができる。
【００１７】
さらに、本考案にかかる花器において、前記ソケット部材を収容するソケット部材収容部を備えていてもよい。ソケット部材が水分を含む可能性のある花留め部材に直接接触する可能を防止することができるため、感電等を防止することができる。また、ソケット部材の取り外しを容易にすることができるようになるため、電球又はＬＥＤ電球の取り替えの際には、ソケット部材ごと一旦容器等から外して取り替えることができる。そのため、花卉を損傷させるおそれを減らすことができる。
【００１８】
さらに、本考案にかかる花器において、前記花留め部材は、発泡スチロール又はウレタンであってもよい。かかる構成を採用することによって、花卉等を発泡スチロール又はウレタンに差し込むのみで、容易にソケット部材の周囲に花卉を生けることができる。特に、生花を花卉として使用する場合に、吸水性のウレタンを使用して、水をウレタンに滲みこませておけば、随時水を生花に与えることができ、生花の寿命をより長くすることができる。
【００１９】
さらに、本考案にかかる花器において、前記花留め部材の表面は、緑色であってもよい。かかる構成を採用することによって、花卉を花留め部材へ生けた場合に、人工物であるかのような印象を与えることを軽減することができる。
【００２０】
さらに、本考案にかかる花器において、電球又はＬＥＤ電球がソケットに取り付けられていてもよい。かかる構成を採用することによって、電球又はＬＥＤ電球を取り付ける作業を省くことができる。そのため、花器を使用する際の労力を軽減することができる。
【００２１】
さらに、本花器において、前記ＬＥＤ電球は、主面に拡散ドットを備えた２枚の導光板を備え、前記２枚の導光板が十字となるように組み合わされてなるものであってもよい。かかるＬＥＤ電球を使用することにより、光をより多く側方方法へ照射することができる。そのため、光が上方へ拡散する割合を低く抑えることができ、側方方向から視認する者に対して、より明確にＬＥＤ電球の光を認識することができ、ひいてはこの光を透過した花びらや葉を明るく認識することができる。
【００２２】
さらに、本考案にかかる花器において、前記導光板は、ＬＥＤ電球のＬＥＤが配置される側に対して反対側の端面がＶ字に設けられていてもよい。かかる構成を採用することによって、ＬＥＤから入射された光が反対側の端面で屈折する光と反射される光の両方を照射することができる。そのため、ソケット側の周囲に広く光を照射することができる。従って、上方から花卉に広く光を照射して、花卉を明るく照らし出すことができる。
【００２３】
また、本考案にかかる花器において、前記導光板は、ＬＥＤ電球のＬＥＤが配置される側に対して反対側の端面が複数に分岐していてもよい。かかる構成を採用することによって、花卉に調和するデザイン性に優れたＬＥＤ電球とすることができる。特にＬＥＤが配置される側に対して反対側の端面がＶ字に設けた場合には、ＬＥＤから入射された光が複数の反対側の端面で反射されることによって、ソケット側の広い範囲に光を照射することができることに加え、複数の端面で反射された光が重なることによる光の強さの強弱により、より幻想的な光を花卉に照射することができる。
【００２４】
さらに、本考案にかかる花器において、前記容器は、直方体からなり、前記ＬＥＤ電球の前記２枚の導光板の十字は、前記容器の開口部の対角線と同じ配置がされていてもよい。導光板の十字が、容器の開口部の対角線と同じ配置とされることによって、正面から花器を視認した場合に、導光板の側面が視認される面積を少なくでき、より導光板の拡散面を視認することができる。そのため、側方方向から視認する者に対して、より明瞭にＬＥＤ電球の光を認識することができる。
【００２５】
さらに、本考案にかかる花器において、前記花留め部材に花卉を備えていてもよい。かかる構成を採用することによって、花卉を容器に生ける作業を行う必要がなく、直ちに花器を設置して使用することができる。そのため、作業者の労力をより軽減することができる。
【００２６】
さらに、本考案にかかる花器において、前記花留め部材に花卉を備え、前記花卉は、前記導光板の下端より上方に配置されていてもよい。かかる構成を採用することによって、導光板より下方に配置される放熱部その他の構造物が看者から視認される可能性を軽減することができる。
【考案の効果】
【００２７】
本考案にかかる花器によれば、容器内の花卉の中央に照明器具が配置されて、花卉の裏側及び表側の両方から光を照射することにより、花卉を透過した光と、花卉を反射した光との両方を視認することができて、花卉全体が幻想的な装飾的効果を有する花器を提供することができる。
【図面の簡単な説明】
【００２８】
【図１】本考案の実施例１にかかる花器１００の構成の概略を示す斜視図である。
【図２】本考案の実施例１にかかる花器１００の断面図である。
【図３】本考案の実施例１にかかる花器１００に取り付けられるＬＥＤ電球５０の斜視図及びこの斜視図のＡ視図である。
【図４】本考案の実施例１にかかる花器１００の組み立ての概略を示す斜視図である。
【図５】本考案の実施例１にかかる花器１００にＬＥＤ電球５０及び花卉６０を取り付ける状態を示す斜視図である。
【図６】本考案の実施例１にかかる花器１００の正面図である。
【図７】本考案の実施例２にかかる花器１００の組み立ての概略を示す斜視図である。
【図８】本考案の実施例２にかかる花器１００の断面図である。
【考案を実施するための形態】
【００２９】
以下、本考案を実施するための形態を説明する。本考案にかかる花器は、容器と、この容器に取り付けられるソケット部材と、このソケット部材の周囲に配置され、花卉等を固定するための花留め部材と、を主として備えている。
【００３０】
容器は、ソケット部材及び花留め部材を収容するためのものであり、直方体、円筒形、三角柱等その形態は限定するものではない。左右対称で統一感を持たせて安定感を表現したい場合には、直方体又は円筒体の容器を使用するとよい。容器の材料は、陶器、磁器、金属又はプラスチック等特に限定するものではない。その大きさも特に限定するものではなく、飾り付ける場所に応じて適宜選択することが可能である。また、容器の色も特に限定するものではなく、装飾される花卉の色や種類に応じて最適な色を適宜選択することができる。また、容器の表面の形態についても、凹凸を有していたり、模様が付されていたり、金属光沢を有していたりしてもよい。光を反射可能な反射面を採用すれば、花びらや葉を透過した光が側面に反射して幻想的な側面を演出することができる。
【００３１】
ソケット部材は、上方側から、電球又はＬＥＤ電球等を着脱自在に取り付けられるものであり、電球を取り付けるソケットと、このソケットを固定し、コードをソケットからソケット部材外部へ通すためのソケット受部とからなる。ソケットは、特に限定されるものではなく、従来からあるソケットを使用することができる。ソケット受部の材料、形状は、特に限定するものではない。ソケットから発生した熱を断熱したい場合には、セラミック製のソケット受部を用いるとよい。放熱効果をより発揮させたい場合には、金属製のソケット受部を使用するとよい。
【００３２】
ソケット部材は、容器の略中央に配置されて使用される。この際にソケット部材を挿入するだけで所定位置に固定可能なソケット部材収容部を別途設けてもよい。ソケット部材の高さ位置は、特に限定するものではなく、容器の開口面より高く配置してもよいし、容器の開口面よりも低く配置してもよい。ソケット部材を容器の開口面より高く配置すれば、取り付けられる電球やＬＥＤ電球がより高い位置に配置され、花卉を上方から照射し、かつ電球又はＬＥＤ電球から照射される光及び花びらや葉から反射した光をより多く看者に与えることができる。一方、ソケット部材を容器の開口面より低く配置すれば、取り付けられる電球又はＬＥＤ電球がより低い位置に配置され、花卉の中から光が照射され、主たる光が花びらや葉を透過して看者に視認されるので、より幻想的な花器を提供することができる。なお、ソケット部材を容器に取り付ける方法は特に限定するものではなく、その他取り付け部材を用いて固定してもよいし、後述する花留め部材に取り付けても構わない。
【００３３】
ソケット部材は、特に生花を花卉として使用する場合には、ソケット部材の内側に電球又はＬＥＤ電球を取り付けた際に、ソケット部材と電球又はＬＥＤ電球との互いの隙間を封止することができるＯリング等の防水用のゴムリングを配置するとよい。これにより、じょうろ等で水を上方からかけた場合にでもソケット部材内に水が浸入するのを防止することができる。
【００３４】
花留め部材は、ソケット部材の周囲に配置されるものであり、例えば、針が上方へ向かって複数設置されている剣山や、単に茎部を差し込むのみで固定可能に形成された発泡スチロールやウレタン等の塊であってもよい。生花に使用する場合には、吸水性を有するウレタン等を使用すれば、ウレタン内に保持された水によって生花の寿命を長くさせることができる。また、花留め部材の色についても特に限定するものではないが、緑色を採用すると、表面に苔等が生えているかのごとく印象を与えることができ、美観的に優れた花器とすることができる。
【００３５】
さらに、本考案の花卉においては、容器内に貯水部を設けてもよい。貯水部を設けることで、生花を花卉として使用した場合であっても、花留め部材に貯水部から水を配給することができ、じょうろ等で水を供給する手間を省くことができる。この際に貯水部から花留め部材へ水を供給する手段は、特に限定するものではないが、吸水性のウレタンを使用して、このウレタンの一部を貯水部へ配置しておけば、毛細管現象によって、随時水がウレタン上方へ上昇して水を生花へ供給することができる。
【００３６】
さらに、本考案の花器においては、ＬＥＤ電球として、導光板を使用したＬＥＤ電球を使用することができる。特に、両側に拡散ドットを有する平面板からなる導光板を十字に組み合わせたタイプの導光板を使用すると、３６０°側方方向へ光を照射することができるため、好適である。こうしたタイプの導光板を有するＬＥＤ電球を使用した場合であって、容器に直方体のものを使用した場合には、２枚の導光板の十字は、前記容器の開口部の対角線と同じ配置がされているとよい。このような形態を採用することによって、正面から花器を視認した際に導光板の側面が視認される面積をより小さくすることができる。
【００３７】
また、本考案の花器においては、あらかじめ花卉を設けておいてもよい。花卉は特に限定するものではなく、種々の花卉から適宜選択して生けることができる。勿論、生花であっても、造花であっても構わない。また、必ずしも花冠を有する植物である必要はなく、葉や茎のみの植物であっても構わない。花卉は、導光板を有するＬＥＤ電球を使用した場合には、導光板のみが視認が可能なように、導光板の下端より上方に花卉が有するように配置するとよい。このように配置することで、ＬＥＤ電球の放熱部その他の構成が視認されるおそれを軽減することができて、美感性に優れる花器とすることができる。
【実施例１】
【００３８】
以下、図面に基づいて、本考案にかかる花器の実施例について、詳細に説明する。なお、以下に説明する実施例及び図面は、本考案の実施形態の一部を例示するものであり、これらの構成に限定する目的に使用されるものではない。
【００３９】
実施例１にかかる花器１００は、図１及び図２に示すように、容器１０と、この容器１０に取り付けられるソケット部材２０と、このソケット部材２０を容器１０内に固定するためのソケット部材収容部２６と、ソケット部材２０の周囲及び下方に配置され、花卉６０を固定するための花留め部材３０と、この花留め部材３０に水を供給する貯水部４０と、ＬＥＤ電球５０と、を主として備えている。
【００４０】
容器１０は、陶器で作製され、図１に示したように、上方開口した略直方体に形成されている。容器１０の表面は、装飾性を付加するため模様としての凹凸面を有しており（なお、図１以外では、容器１０の表面の凹凸は省略されている。）、容器１０自体も装飾的効果を発揮している。また、容器１０の表面は、光が反射可能な反射面を有していて、花卉６０を設置した場合に、容器１０の側面の反射作用と凹凸の作用により、花卉６０を乱反射させて視認させることにより、側面の装飾的効果を増加させている。
【００４１】
ソケット部材２０は、図２に示すように、上方からＬＥＤ電球５０が着脱自在に取り付けることができるソケット２１と、このソケット２１を固定するソケット受部２２とを備えている。ソケット受部２２は、セラミックにより作製されており、ＬＥＤ電球５０により熱が発生した場合であっても、容易に損傷しないように形成されている。ソケット受部２２の内側上部には、ゴム製のＯリング２３が設けられており、ソケット部材２０にＬＥＤ電球５０を取り付けた際には、ソケット部材２０内及びソケット部材２０とソケット受部２２との間に水が浸入することを防止する。ソケット受部２２の側面には、ソケット２１に電源を供給する電源コード２４が延出されている。
【００４２】
ソケット部材収容部２６は、ソケット部材２０を上方から落とし込むのみでソケット部材２０を容器１０の所定位置に固定することができるように、ソケット部材２０の外周形状とほぼ同様の内周形状を有し、かつソケット部材収容部２６の内側面とソケット部材２０の外側面との間には、隙間が形成されていて、ソケット部材２０から延出される電源コード２４を配置することができるように形成されている。従って、ソケット部材２０を上から落とすだけで容器１０内に固定でき、上方へ引き上げるだけで容器１０からソケット部材２０を取り出すことができる。そのためＬＥＤ電球５０を交換する場合に、ソケット部材２０全体を容器１０から取り外して交換することができるので、花卉の中で電球を回転させて交換するより、容易であるのみならず、ＬＥＤ電球５０の交換の際に花卉６０を傷つける恐れを軽減することができる。なお、ソケット部材収容部２６は、必ずしも必須なものではなく、ソケット部材２０を花留め部材３０に直接取り付けてもよい。
【００４３】
花留め部材３０は、吸水性を有するウレタンで作製されており、ソケット部材収容部２６の周囲及び下方に配置されている。ソケット部材収容部２６を取り付け可能なように、ソケット部材収容部２６の外周とほぼ同様の大きさであって、深さがソケット部材収容部２６の高さより若干低いソケット部材収容部用穴３１が設けられている。また、ソケット部材収容部用穴３１は、容器の１０内側に容器壁面の上面より若干低い位置に配置されるように形成される。ウレタンからなる花留め部材３０は、花卉６０の茎部を差し込むだけで容易に花卉６０を固定することができる。花留め部材３０は、その一部が下方に突出した突出部３２を備えており、この突出部３２が後述する貯水部４０に配置されて貯水部４０内に溜まった水を吸い上げることが可能である。
【００４４】
貯水部４０は、防水性の箱状に形成されていて、容器１０内の底面に配置される。この貯水部４０内に水が貯水され、この貯水部４０内に延出して配置される花留め部材３０の突出部３２を介して花留め部材３０の本体に水を供給する。なお、生花を花卉６０として使用しない場合には、貯水部４０は、配置する必要はない。
【００４５】
ＬＥＤ電球５０は、図３に示すように、ソケット２１に取り付けられる口金５１と、ＬＥＤ５４の熱を放熱する放熱部５２と、ＬＥＤ５４の光を所定の方向へ拡散するための導光板５３と、を備えている。導光板５３は、平板状の板材を加工し、反対側の端面５３ａが分岐した４つの平行な柱状部（αの範囲）を有する２枚の導光基板を十字となるように組み合わせてなる。導光板５３は、一端面側からＬＥＤ５４の光を入射し、反対側の端面５３ａ及びこの端面５３ａに隣接した両側の主面５３ｂから主に光を導出して周囲を照らす機能と、反対側の端面５３ａ及びこの端面に隣接した両側の主面５３ｂから反射した光によって周囲を照らす機能とを有する。主面５３ｂは、複数の拡散ドットが設けられており、拡散と反射によって光を広く周囲に拡散することができる。反対側の端面５３ａは、Ｖ字型に形成されており、ＬＥＤ５４からの光を屈折させて先端の周囲へ拡散するとともに、ＬＥＤ５４からの光を反射させてソケット２１側の周囲へ光を拡散することができる。こうして、反対側の端面５３ａ、主面５３ｂを有すること及び２枚の導光基板を十字となるように組み合わせたことから、３６０°のいずれの方向へも光を照射することができる。また、４つの平行な柱状部を有することから、それぞれの柱状部から拡散又は反射した光が干渉することによって、光の強弱が発生し、周囲に幻想的な光を照らすことができる。また、デザイン的にも優れた導光板５３を有するＬＥＤ電球５０とすることができる。
【００４６】
以上のように構成された花器１００は、以下のようにして組み付けられて使用される。図４に示すように、容器１０内の最下部に貯水部４０を配置する。次いで、花留め部材３０を突出部３２（図２参照）が貯水部４０内に配置されるように取り付ける。さらに、花留め部材３０の略中央にソケット部材収容部２６を配置する。その後、ソケット部材２０をソケット部材収容部２６に落とし込むようにして取り付ける。そして、最後に、ソケット部材２０とソケット部材収容部２６との間を覆うようにカバー部材７０を取り付けて花器１００とする。なお、ソケット部材収容部２６は、必ずしも必須なものではなく、ソケット部材２０を直接花留め部材３０に取り付けてもよい。
【００４７】
こうして作製された花器１００に、図５に示すように、ＬＥＤ電球５０をソケット部材２０に取り付け、さらに、花卉６０を花留め部材３０に装飾することによって装飾用の花器１００として展示される。この際にＬＥＤ電球５０は、２枚の導光板５３の十字が、容器１０の開口部の対角線と同じ配置となるように配置するとよい。このように配置することで、図６（花卉は省略してある。）に示すように、正面から視認した際に、導光板５３の側面が正面側にくる面積を最小限にすることができ、看者が照射しない側面を視認する面積を小さくするため、美観に優れたものとすることができる。また、花卉６０は、ＬＥＤ電球５０の放熱部５２を隠すように配置される。これにより、光を照射する導光板５３のみが花卉６０の上方に突出することになり、より美観に優れた花器１００とすることができる。また、導光板５３の光は、花卉６０の内側から照射するだけでなく、主面５３ｂ及び反対側の端面５３ａによる拡散又は反射光によって下方の花卉６０に向かって、外側から強弱を有する幻想的な光を照らすことができる。
【実施例２】
【００４８】
実施例２にかかる花器１００が、容器１０と、ソケット部材２０と、ソケット部材収容部２６と、花留め部材３０と、貯水部４０と、ＬＥＤ電球５０と、を主として備えている点は、実施例１と同様である。
【００４９】
実施例２の花器の容器１０は、材料として金属を用いており、図７に示すように上方が開口した円柱形に形成されている。容器１０の側面は、金属光沢を有しており、滑面に形成されている。そのため、花卉及びＬＥＤ電球５０が側面に反射して映り込むことにより、容器１０自体も装飾的効果を発揮する。容器１０の側面には、後述する電源コード２４を通る電源コード用貫通孔１１が設けられている。
【００５０】
ソケット部材２０は、ソケット受部２２が上面視で円形に形成されている点、及び電源コード２４が下面から延出している点を除き、実施例１と同様である。
【００５１】
ソケット部材収容部２６は、図８に示すように、略中央に電源コード２４を通すことができる底面孔２７が設けられている。それ以外の点は実施例１と同様である。なお、ソケット部材収容部２６は、必ずしも必須なものではなく、ソケット部材２０を直接花留め部材３０に取り付けてもよい。
【００５２】
花留め部材３０は、吸水性を有するウレタンで作製されており、図８に示すように、ソケット部材２０の周囲に配置される。花留め部材３０の中心にはソケット部材２０及びソケット部材２０から延出される電源コード２４を配置するための中央貫通孔３４が設けられている。花留め部材３０の一部から下方に突出した突出部３２を有している点は実施例１と同様である。花留め部材３０の中央貫通孔３４には、ソケット部材２０を容器１０の開口部の高さより低くソケット部材収容部２６を配置できるように段差が形成されており、この段差でソケット部材収容部２６を支持することができる。
【００５３】
貯水部４０は、貯留領域４２が容器１０内の底面周囲に配置される。この貯水部４０内に水が貯水され、この貯水部４０内に延出して配置された花留め部材３０の突出部３２を介して花留め部材本体に水を供給する。貯水部４０の中心には、電源コード２４を通すために、貫通している中央孔４１が形成されている。なお、生花を花卉６０として使用しない場合には、貯水部４０は、配置する必要はない。
【００５４】
ＬＥＤ電球５０は、実施例１に使用したものと同一であるので、説明を省略する。
【００５５】
以上のように構成された花器１００は、以下のようにして組み付けられて使用される。図７に示すように、まず、ソケット部材２０から延出される電源コード２４を、ソケット部材収容部２６の底面孔２７、花留め部材３０の中央貫通孔３４、貯水部４０の中央孔４１及び容器１０の電源コード用貫通孔１１に通す。そして、この状態のまま容器１０内に貯水部４０を配置する。こうして貯水部４０は、容器１０内の最下部に配置されることになる。次いで、花留め部材３０を貯水部４０の上方に１部が貯水部４０内に配置されるように取り付ける。その後、ソケット部材収容部２６を花留め部材３０の段差部に取り付ける。そして、ソケット部材２０をソケット部材収容部２６に配置し、ソケット部材２０と花留め部材３０との間を覆うようにカバー部材７０を取り付けて花器１００とされる。
【００５６】
こうして作製された花器１００に、ＬＥＤ電球５０をソケット部材２０に取り付け、さらに、花卉６０で装飾して花器１００として使用される。
【産業上の利用可能性】
【００５７】
上述した実施形態で示すように、花器として使用することができる。
【符号の説明】
【００５８】
１０…容器、１１…電源コード用貫通孔、２０…ソケット部材、２１…ソケット、２２…ソケット受部、２３…Ｏリング、２４…電源コード、２６…ソケット部材収容部、２７…底面孔、３０…花留め部材、３１…ソケット部材収納部用穴、３２…突出部、３４…中央貫通孔、４０…貯水部、４１…中央孔、４２…貯留領域、５０…ＬＥＤ電球、５１…口金、５２…放熱部、５３…導光板、５３ａ…端面、５３ｂ…主面、５４…ＬＥＤ、６０…花卉、７０…カバー部材、１００…花器
【図１】
0003172679.tif 000003
【図２】
0003172679.tif 000004
【図３】
0003172679.tif 000005
【図４】
0003172679.tif 000006
【図５】
0003172679.tif 000007
【図６】
0003172679.tif 000008
【図７】
0003172679.tif 000009
【図８】
0003172679.tif 000010